(57)【要約】【課題】照明器具の電源がＯＦＦ状態からＯＮ状態に切り替わった場合でも、所望の明るさとなるように照明器具の光出力を制御可能な照明制御装置及び照明システムを提供できる。【解決手段】照明制御装置１０は、照明器具１の調光を制御する照明制御装置１０であって、照明器具１によって照らされる場所の明るさを検知する明るさセンサ１１と、照明器具１と通信する通信部１３と、明るさセンサ１１によって検知される明るさが第１所定値になるように通信部１３を介して照明器具１に調光コマンドを送信することを繰り返す制御部１２とを備え、制御部１２は、明るさセンサ１１によって検知される明るさが、第１所定値以下である第２所定値よりも暗い場合に、明るさが第２所定値よりも暗くなる直前に送信した調光コマンドを繰り返し送信する。【選択図】図１
2018166074.tif 000002
【特許請求の範囲】
【請求項１】
照明器具の調光を制御する照明制御装置であって、
前記照明器具によって照らされる場所の明るさを検知する明るさセンサと、
前記照明器具と通信する通信部と、
前記明るさセンサによって検知される明るさが第１所定値になるように前記通信部を介して前記照明器具に調光コマンドを送信することを繰り返す制御部とを備え、
前記制御部は、前記明るさセンサによって検知される明るさが、前記第１所定値以下である第２所定値よりも暗い場合に、前記明るさが前記第２所定値よりも暗くなる直前に送信した調光コマンドを繰り返し送信する
照明制御装置。
【請求項２】
前記制御部は、前記第２所定値よりも暗い状態において前記明るさセンサによって検知された明るさに基づいて、前記調光コマンドを前記照明器具に送信する
請求項１記載の照明制御装置。
【請求項３】
前記制御部は、前記第２所定値よりも暗い状態の直前において前記明るさセンサによって検知された明るさと、前記第２所定値よりも暗い状態において前記明るさセンサによって検知された明るさとの差に基づく調光率を指定した調光コマンドを前記照明器具に送信する
請求項２記載の照明制御装置。
【請求項４】
照明器具と、
前記照明器具の調光を制御する請求項１〜３のいずれか１項に記載の照明制御装置と
を備える
照明システム。
【発明の詳細な説明】
【技術分野】
【０００１】
本発明は、照明制御装置及び照明システムに関し、より詳細には、照明器具の調光を制御する照明制御装置、及び、照明制御装置と複数の照明器具とを備える照明システムに関する。
【背景技術】
【０００２】
従来の照明システムでは、照度センサは、検出値に応じて、照度センサ直下の被照射面の平均照度を常に一定に保つように照明器具を調光制御する。そのために、予め目標照度値を設定し、フィードバック制御により、外光の明るさ又は時間帯に応じて照明器具の調光率（光出力）を適切に制御する。
【０００３】
例えば、特許文献１は、外光等による照度への影響があっても正確な照度を確認することが可能であり、また、周囲環境に応じて精度よく動作可能な照明装置を開示する。この照明装置は、照度センサが検知した検知信号を増幅して電圧信号を出力する照度センサ部と、電圧信号と照度との関係を示す係数及び目標照度を記憶するための記憶部と、フィードバック制御を行う制御部と、ユーザーにより操作される操作部とを備える。これにより、外光が照射された時であっても、正確な照度をすぐに算出して表示することができる。また、状況に応じたフィードバック制御を行うことができる。
【先行技術文献】
【特許文献】
【０００４】
【特許文献１】特開２００６−２７７９６７号公報
【発明の概要】
【発明が解決しようとする課題】
【０００５】
しかしながら、特許文献１の照明装置は、記憶部を備えるが、直前に記憶した調光指示は記憶部に保持されない。そのため、照明器具及び照明センサの電源が別回路の場合、図９に示すように、照明器具の電源がＯＦＦ状態である間、照明装置が照明器具に調光率をさらに上げるように指示を出し続ける。これにより、照明器具の電源がＯＦＦ状態からＯＮ状態に切り替わった時に、照明器具は１００％の光出力で点灯し、被照射領域が必要以上の明るさとなる場合がある。
【０００６】
本発明は、照明器具の電源がＯＦＦ状態からＯＮ状態に切り替わった場合でも、所望の明るさとなるように照明器具の光出力を制御可能な照明制御装置及び照明システムを提供する。
【課題を解決するための手段】
【０００７】
本発明に係る照明制御装置の一形態は、照明器具の調光を制御する照明制御装置であって、照明器具によって照らされる場所の明るさを検知する明るさセンサと、照明器具と通信する通信部と、明るさセンサによって検知される明るさが第１所定値になるように通信部を介して照明器具に調光コマンドを送信することを繰り返す制御部とを備え、制御部は、明るさセンサによって検知される明るさが、第１所定値以下である第２所定値よりも暗い場合に、明るさが第２所定値よりも暗くなる直前に送信した調光コマンドを繰り返し送信する。
【０００８】
また、本発明に係る照明システムの一形態は、照明器具と、照明器具の調光を制御する上記の照明制御装置とを備える。
【発明の効果】
【０００９】
本発明により、照明器具の電源がＯＦＦ状態からＯＮ状態に切り替わった場合でも、所望の明るさとなるように照明器具の光出力を制御可能な照明制御装置及び照明システムを提供できる。
【図面の簡単な説明】
【００１０】
【図１】図１は、実施の形態に係る照明システムを説明するための模式図である。
【図２】図２は、実施の形態に係る照明制御装置の構成を示すブロック図である。
【図３】図３は、実施の形態に係る照明器具の構成を示すブロック図である。
【図４】図４は、実施の形態に係る照明システムの動作の第１態様を示すフローチャートである。
【図５】図５は、実施の形態に係る照明システムの動作の第１態様を示すタイミングチャートである。
【図６】図６は、実施の形態に係る照明システムの動作の第２態様を示すフローチャートである。
【図７】図７は、実施の形態に係る照明システムの動作の第２態様を示すタイミングチャートである。
【図８】図８は、実施の形態に係る照明システムの動作の第３態様を示すタイミングチャートである。
【図９】図９は、従来の照明システムの動作を示すタイミングチャートである。
【発明を実施するための形態】
【００１１】
以下、本発明の実施の形態に係る照明制御装置及び照明システムについて、詳細に説明する。なお、以下で説明する実施の形態は、いずれも包括的又は具体的な例を示すものである。したがって、以下の実施の形態で示される、数値、形状、材料、構成要素、構成要素の配置位置及び接続形態、並びに、工程、工程の順序などは、一例であり、本発明を限定する主旨ではない。よって、以下の実施の形態における構成要素のうち、本発明の最上位概念を示す独立請求項に記載されていない構成要素については、任意の構成要素として説明される。
【００１２】
また、各図は、模式図であり、必ずしも厳密に図示されたものではない。なお、各図において、実質的に同一の構成に対しては同一の符号を付しており、重複する説明は省略又は簡略化する。
【００１３】
［照明システム］
図１は、実施の形態に係る照明システム１００を説明するための模式図である。照明システム１００は、例えば、オフィスビル又は家屋内の一室等の、照明が必要な空間に配置されるシステムであるが、図１では、当該空間に存在し得る什器及び人物等の物体の図示は省略されている。
【００１４】
照明システム１００は、照明器具１の調光を制御するシステムであり、照明器具１及び照明制御装置１０で構成される。照明器具１は、照明制御装置１０からの調光コマンドを受信した場合に、受信した調光コマンドを実行することで、調光及び調色を行う器具であり、例えば、シーリングライトである。なお、「調光の制御」とは、少なくとも調光の制御を含む意味であり、調色の制御が含まれてもよい。
【００１５】
また、照明器具１と、照明制御装置１０とは、異なる電源回路を有している。照明器具１は、リモコン又は壁に取り付けられたスイッチで電源をＯＮ／ＯＦＦする。照明制御装置１０は、常時、電源が入っている。
【００１６】
一例として、図１に示すように、室内の天井に照明器具１を配設し、同じ室内の窓際の天井に照明制御装置１０を配設してもよい。
【００１７】
照明制御装置１０は、照明制御装置１０の直下の床面（検知領域Ａ）の明るさを検知し、照明器具１によって照らされる場所（以下、「照明エリア」と呼ぶ場合がある。）の明るさが所定の明るさ（第１所定値）に保たれるように、照明器具１に調光指示を送信する。このとき、照明制御装置１０は、室内への外光の照射量に応じて、照明器具１の調光率を調節する。
【００１８】
ここで、検知領域Ａは、照明器具１によって照らされる場所（照明エリア）である。照明制御装置１０が照明器具１と近接して配設された場合は、検知領域Ａは照明器具１の直下の床面であってもよい。また、照明制御装置１０が照明器具１の近傍に配設された場合は、検知領域Ａは照明器具１の近傍直下の床面であってもよい。
【００１９】
さらに、照明制御装置１０は、照明器具１の電源がＯＦＦされ、照明エリアの明るさが所定の閾値（第２所定値）より暗くなると、照明器具１の電源がＯＦＦされたと認識する。そして、照明制御装置１０は、明るさが第２の所定値よりも暗くなる直前に送信した調光コマンドを繰り返し送信する。
【００２０】
照明器具１は、電源が再びＯＮになると、調光コマンドを受信し、コマンドを実行する。このとき、照明制御装置１０は、明るさを検知して、検知した明るさと最後に保存されたコマンドの明るさとの差分を取り、差分のコマンドを照明器具１に送信してもよい。
【００２１】
なお、照明器具１及び照明制御装置１０は、有線で接続されていてもよく、無線で接続されていてもよい。
【００２２】
［照明器具・照明制御装置］
図２は、実施の形態に係る照明制御装置１０の構成を示すブロック図である。照明制御装置１０は、明るさセンサ１１、制御部１２、通信部１３、及び記憶部１４を備える。
【００２３】
明るさセンサ１１は、照明器具１によって照らされる場所の明るさを検知するためのセンサであり、例えば、照度センサである。
【００２４】
制御部１２は、明るさセンサ１１によって検知される明るさが第１所定値になるように通信部１３を介して照明器具１に調光コマンドを送信することを繰り返す。制御部１２は、例えば、プログラムが格納されたＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、プログラムを実行するプロセッサ、及び、各種入出力ポート等を有するマイクロコンピュータで実現される。
【００２５】
通信部１３は、照明器具１と有線又は無線で通信する通信インタフェースである。通信部１３は、照明器具１と無線通信をする場合は、例えば、無線ＬＡＮ（Ｌｏｃａｌ  Ａｒｅａ  Ｎｅｔｗｏｒｋ）又はＢｌｕｅｔｏｏｔｈ（登録商標）等である。また、通信部１３は、照明器具１と有線通信をする場合は、例えば、Ｅｔｈｅｒｎｅｔ（登録商標）である。
【００２６】
記憶部１４は、制御部１２により照明器具１に送信する調光コマンドを保存される。記憶部１４は、例えば、ＲＡＭである。
【００２７】
図３は、実施の形態における照明器具１の構成を示すブロック図である。照明器具１は、照明側通信部２、照明側制御部３、及び光源４を備える。
【００２８】
照明側通信部２は、照明制御装置１０と有線又は無線で通信する通信インタフェースである。照明側通信部２は、照明制御装置１０と無線通信をする場合は、例えば、無線ＬＡＮ又はＢｌｕｅｔｏｏｔｈ（登録商標）等である。また、照明側通信部２は、照明制御装置１０と有線通信をする場合は、例えば、Ｅｔｈｅｒｎｅｔ（登録商標）である。照明側通信部２は、例えば、照明制御装置１０の通信部１３から照明器具１に調光コマンドが送信された場合、調光コマンドを受信し、照明側制御部３に伝達する。
【００２９】
照明側制御部３は、照明制御装置１０から送信されてきた調光コマンドを照明側通信部２が受信した場合に、受信された調光コマンドを実行することによって光源４の明るさを制御する。照明側制御部３は、例えば、プログラムが格納されたＲＯＭ、ＲＡＭ、プログラムを実行するプロセッサ、及び、各種入出力ポート等を有するマイクロコンピュータで実現される。
【００３０】
光源４は、照明側制御部３による制御の下で光を発する光源であり、例えば、ＬＥＤ（Ｌｉｇｈｔ  Ｅｍｉｔｔｉｎｇ  Ｄｉｏｄｅ）である。
【００３１】
［動作］
次に、以上のように構成された本実施の形態に係る照明システム１００について、その動作を以下に説明する。
【００３２】
照明制御装置１０は、照明器具１の電源がＯＦＦ状態になった場合に、電源がＯＦＦ状態になる直前に送信した調光コマンドを照明器具１に繰り返し送信する。照明システム１００の動作は、照明器具１の電源がＯＦＦ状態になってから再び電源がＯＮ状態になるまでの間、及び、電源がＯＮ状態になった場合の動作の違いにより、以下の３つの態様がある。
【００３３】
［照明システムの動作の第１態様］
照明システム１００の動作の第１態様は、照明器具１の電源がＯＮ状態からＯＦＦ状態になり再びＯＮ状態に切り替わるまでの間に、外光の明るさに殆ど差がない場合、例えば、ユーザーが夜間に外出して夜間のうちに帰宅する場合、又は、昼間に外出して昼間のうちに帰宅する場合等に適応される。
【００３４】
図４は、実施の形態に係る照明システム１００の動作の第１態様を示すフローチャートである。照明システム１００では、照明制御装置１０の明るさセンサ１１は、照明器具１によって照らされる場所（検知領域Ａ）の明るさを検知する（Ｓ０１）。制御部１２は、照明器具１によって照らされる場所（検知領域Ａ）が第１所定値の明るさとなるように照明器具１の光量を決定する（Ｓ０２）。制御部１２は、ステップＳ０２の決定に基づき照明器具１の光量を調整する調光コマンドを記憶部１４に保存し、調光コマンドを通信部１３に送信する（Ｓ０３）。検知領域Ａの明るさが第２所定値よりも暗くなった場合（Ｓ０４でＹＥＳ）、制御部１２は、照明器具１がＯＦＦ状態になったとみなす。そして、制御部１２は、検知領域Ａの明るさが第２所定値よりも暗くなる直前に送信した調光コマンドを記憶部１４から読み出し、通信部１３に送信する（Ｓ０５）。一方、検知領域Ａの明るさが第２所定値よりも明るくなった場合（Ｓ０４でＮＯ）、制御部１２は、照明器具１がＯＮ状態になったとみなす。そして、明るさセンサ１１は、照明器具１によって照らされる場所（検知領域Ａ）の明るさを検知する（Ｓ０１）。そして、ステップＳ０２〜Ｓ０３を実施し、検知領域Ａの明るさが第１所定値となるように照明器具１の調光率を調整する。
【００３５】
図５は、実施の形態に係る照明システム１００の動作の第１態様を示すタイミングチャートである。図５に示す３つのタイミングチャートは、上から順に、照明器具１の電源のＯＮ／ＯＦＦの切り替わりを表すタイミングチャート、明るさセンサ１１が検出する検知領域Ａの明るさの推移を表すタイミングチャート、及び制御部１２が照明器具１に指示する調光コマンドの調光率を表すタイミングチャートである。
【００３６】
図５に示すように、照明器具１の電源がＯＮ状態からＯＦＦ状態に切り替わった場合、明るさセンサ１１が検出する検知領域Ａの明るさが第２所定値よりも暗くなると（Ｓ０４でＹＥＳ）、制御部１２は照明器具１の電源がＯＦＦ状態になったとみなす。そして、制御部１２は、検知領域Ａの明るさが第２所定値よりも暗くなる直前に送信した調光コマンドを記憶部１４から読み出し、通信部１３に送信する（Ｓ０５）。照明器具１の電源がＯＦＦ状態である間、検知領域Ａの明るさは第２所定値よりも暗い（Ｓ０４でＹＥＳ）ため、制御部１２は、照明器具１の電源がＯＮ状態に切り替わるまで、検知領域Ａの明るさが第２所定値よりも暗くなる直前に送信した調光コマンドを記憶部１４から読み出し、通信部１３に送信する（Ｓ０５）ことを繰り返す。
【００３７】
照明器具１の電源がＯＮ状態に切り替わると、明るさセンサ１１が検出する検知領域Ａの明るさが第２所定値よりも明るくなる（Ｓ０４でＮＯ）。そして、照明制御装置１０は、明るさセンサ１１で検知領域Ａの明るさを検知し（Ｓ０１）、制御部１２で検知領域Ａの明るさが第１所定値の明るさとなるように照明器具１の光量を決定する（Ｓ０２）。
【００３８】
以上のように、照明システム１００の動作の第１態様では、照明器具１の電源がＯＦＦ状態になった時に、照明制御装置１０の制御部１２は、その直前に送信された調光コマンドを記憶部１４から読み出し、照明器具１の電源がＯＦＦ状態である間、その調光コマンドを送信し続ける。そして、照明器具１の電源がＯＮ状態に切り替わった時に、照明制御装置１０の制御部１２は、明るさセンサ１１が検知した検知領域Ａの明るさに基づき、照明器具１に調光コマンドを送信する。これにより、照明制御装置１０は、照明器具１の電源がＯＦＦ状態からＯＮ状態に切り替わった場合でも、所望の明るさとなるように照明器具１の光出力を制御することができる。
【００３９】
［照明システムの動作の第２態様］
照明システム１００の動作の第２態様は、照明器具１の電源がＯＮ状態からＯＦＦ状態になり再びＯＮ状態に切り替わるまでの間に、外光の明るさに差が生じる場合、例えば、ユーザーが夜間に外出して翌朝帰宅する場合、又は、曇天時に外出して晴天時に帰宅する場合等に適応される。
【００４０】
図６は、実施の形態に係る照明システム１００の動作の第２態様を示すフローチャートである。照明システム１００では、照明制御装置１０の明るさセンサ１１は、照明器具１によって照らされる場所（検知領域Ａ）の明るさを検知する（Ｓ１１）。制御部１２は、照明器具１によって照らされる場所（検知領域Ａ）が第１所定値の明るさとなるように照明器具１の光量を決定する（Ｓ１２）。制御部１２は、ステップＳ１１で検出された検知領域Ａの明るさ及びステップＳ１２に基づき照明器具１の光量を調整する調光コマンドを記憶部１４に保存し、調光コマンドを通信部１３に送信する（Ｓ１３）。検知領域Ａの明るさが第２所定値よりも暗くなった場合（Ｓ１４でＹＥＳ）、制御部１２は、照明器具１がＯＦＦ状態になったとみなす。次に、明るさセンサ１１は、検知領域Ａの明るさを検知する（Ｓ１５）。そして、制御部１２は、ステップＳ１５で検出された検知領域Ａの明るさと記憶部１４に最後に保存された検知領域Ａの明るさとの差分を算出し（Ｓ１６）、明るさの差分の調光コマンドを通信部１３に送信する（Ｓ１７）。一方、検知領域Ａの明るさが第２所定値よりも明るくなった場合（Ｓ１４でＮＯ）、制御部１２は、照明器具１がＯＮ状態になったとみなす。そして、明るさセンサ１１は、検知領域Ａの明るさを検知する（Ｓ１１）。そして、ステップＳ１２〜Ｓ１３を実施し、検知領域Ａの明るさが第１所定値となるように照明器具１の調光率を調整する。
【００４１】
なお、制御部１２は、ステップＳ１６において明るさの差分がマイナスである場合、ステップＳ１７において照明器具１の調光率を０％とする調光コマンドを通信部１３に送信する。
【００４２】
制御部１２が照明器具１の電源がＯＮ状態になったとみなした場合に、制御部１２は、照明器具１の電源がＯＦＦ状態の検知領域Ａの明るさを外光による明るさと判断し、照明器具１の調光率を算出して、通信部１３に送信する。
【００４３】
例えば、照明器具１の電源がＯＮ状態からＯＦＦ状態に切り替わる直前に、制御部１２が照明器具１に調光率８０％で点灯するように調光コマンドを送信した場合、検知領域Ａの明るさが５００ルクスであったとする。このとき、夜間で、外光の影響がなく、全て照明器具１による明るさであったとする。照明器具１の電源がＯＦＦ状態である間も、照明制御装置１０の明るさセンサ１１は、検知領域Ａの明るさを検知している。照明器具１の電源がＯＮ状態に切り替わる直前の検知領域Ａの明るさが３００ルクスであった場合、この明るさは全て外光による明るさである。そして、照明器具１の電源がＯＮ状態に切り替わった場合、照明制御装置１０は、検知領域Ａの明るさを５００ルクスに制御するために、２００ルクスの明るさを照明器具１で補うように照明器具１に調光コマンドを送信する。このとき、照明器具１の調光率は、（２００／５００）×８０＝３２％と算出され、制御部１２は、照明器具１に３２％の調光率で点灯するように指示を出す。
【００４４】
以上のように、本実施の形態に係る照明システム１００では、照明制御装置１０は、外光の状況が変化したとしても、上記のように変化に対応し、検知領域Ａの明るさが所望の明るさとなるように照明器具１の調光率を制御することができる。
【００４５】
図７は、実施の形態に係る照明システム１００の動作の第２態様を示すタイミングチャートである。第２態様では、照明器具１の電源がＯＦＦ状態である間、制御部１２は、ステップＳ１３で記憶部１４に保存した検知領域Ａの明るさとステップＳ１５で明るさセンサ１１が検知した検知領域Ａの明るさとの差分を取り、差分の明るさから照明器具１の調光率を指示する。そのため、第２態様では、制御部１２は、調光コマンドだけでなく、検知領域Ａの明るさも記憶部１４に保存する（Ｓ１３）。
【００４６】
照明器具１の電源がＯＮ状態からＯＦＦ状態に切り替わった場合、明るさセンサ１１が検出する検知領域Ａの明るさが第２所定値よりも暗くなると（Ｓ１４でＹＥＳ）、制御部１２は照明器具１の電源がＯＦＦ状態になったとみなす。次に、明るさセンサ１１は、検知領域Ａの明るさを検知する（Ｓ１５）。そして、制御部１２は、ステップＳ１５で検出された検知領域Ａの明るさとステップＳ１３で記憶部１４に最後に保存された検知領域Ａの明るさとの差分を算出し（Ｓ１６）、明るさの差分の調光コマンドを通信部１３に送信する（Ｓ１７）。よって、照明器具１は、電源がＯＮ状態に切り替わると、明るさの差分の調光コマンドを受信し、その調光コマンドを実行することができる。そのため、照明器具１の電源がＯＦＦ状態からＯＮ状態に切り替わった場合でも、検知領域Ａの明るさが所望の明るさ（第１所定値）となるように照明器具１の光出力（調光率）を制御することができる。
【００４７】
照明器具１の電源がＯＮ状態に切り替わると、明るさセンサ１１が検出する検知領域Ａの明るさが第２所定値よりも明るくなる（Ｓ０４でＮＯ）。そして、照明制御装置１０は、明るさセンサ１１で検知領域Ａの明るさを検知し（Ｓ０１）、制御部１２は、検知領域Ａの明るさが第１所定値の明るさとなるように照明器具１の光量を決定する（Ｓ０２）。
【００４８】
以上のように、照明システム１００の動作の第２態様では、照明器具１の電源がＯＦＦ状態になった時に、照明制御装置１０の制御部１２は、その直前に記憶された検知領域Ａの明るさを記憶部１４から読み出す。そして、照明器具１の電源がＯＦＦ状態である間、制御部１２は、記憶部１４から読み出した検知領域Ａの明るさと明るさセンサ１１が検知する検知領域Ａの明るさとの差分を取り、差分の調光コマンドを照明器具１に送信する。そのため、照明器具１の電源がＯＦＦ状態からＯＮ状態に切り替わった場合でも、所望の明るさ（第１所定値）となるように照明器具１の光出力（調光率）を制御することができる。
【００４９】
なお、図８に示すように、検知領域Ａの明るさに大きな変化を検知した場合に、制御部１２は、照明器具１の電源がＯＮ状態に切り替わったとみなし、差分の調光コマンドを照明器具１に送信してもよい。
【００５０】
［まとめ］
以上のように、本実施の形態に係る照明制御装置１０は、照明器具１の調光を制御する照明制御装置１０であって、照明器具１によって照らされる場所の明るさを検知する明るさセンサ１１と、照明器具１と通信する通信部１３と、明るさセンサ１１によって検知される明るさが第１所定値になるように通信部１３を介して照明器具１に調光コマンドを送信することを繰り返す制御部１２とを備え、制御部１２は、明るさセンサ１１によって検知される明るさが、第１所定値以下である第２所定値よりも暗い場合に、明るさが第２所定値よりも暗くなる直前に送信した調光コマンドを繰り返し送信する。
【００５１】
これにより、制御部１２は、明るさセンサ１１が検出した明るさが、初期設定時の数値（第２所定値）よりも暗いと判断すれば、その直前に送信した調光指示を継続的に送信する。よって、照明器具１は、電源がＯＮ状態に切り替わると、その調光指示を受信し、所望の明るさ（第１所定値）となるように光源４の調光率を制御することができる。そのため、照明器具１の電源がＯＦＦ状態である間、照明器具１を必要以上に明るくする調光指示を出すことを防止することができる。したがって、照明器具１の電源がＯＦＦ状態からＯＮ状態に切り替わった場合でも、所望の明るさ（第１所定値）となるように照明器具１の光出力（調光率）を制御することができる。
【００５２】
また、本実施の形態に係る照明制御装置１０では、制御部１２は、第２所定値よりも暗い状態において明るさセンサ１１によって検知された明るさに基づいて、調光コマンドを照明器具１に送信する。
【００５３】
これにより、制御部１２は、検知領域Ａの明るさが第２所定値よりも暗い場合は、照明器具１の電源がＯＦＦ状態であると判断し、明るさセンサ１１によって検知された明るさを外光による明るさとして、照明器具１で補うべき明るさを決定する。そのため、照明器具１の電源がＯＦＦ状態である間、照明器具１を必要以上に明るくする調光指示を出すことを防止することができる。したがって、照明器具１の電源がＯＦＦ状態からＯＮ状態に切り替わった場合でも、所望の明るさ（第１所定値）となるように照明器具１の光出力（調光率）を制御することができる。
【００５４】
また、本実施の形態に係る照明制御装置１０では、制御部１２は、第２所定値よりも暗い状態の直前において明るさセンサ１１によって検知された明るさと、第２所定値よりも暗い状態において明るさセンサ１１によって検知された明るさとの差に基づく調光率を指定した調光コマンドを照明器具１に送信する。
【００５５】
これにより、制御部１２は、検知領域Ａの明るさが第２所定値よりも暗い場合は、照明器具１の電源がＯＦＦ状態であると判断し、明るさセンサ１１によって検知された明るさを外光による明るさとして、照明器具１で補うべき明るさを決定する。そのため、照明器具１の電源がＯＦＦ状態である間、照明器具１を必要以上に明るくする調光指示を出すことを防止することができる。したがって、照明器具１の電源がＯＦＦ状態からＯＮ状態に切り替わった場合でも、所望の明るさ（第１所定値）となるように照明器具１の光出力（調光率）を制御することができる。
【００５６】
本実施の形態に係る照明システム１００は、照明器具１と、照明器具１の調光を制御する上記の照明制御装置１０とを備える。
【００５７】
これにより、制御部１２は、明るさセンサ１１が検出した明るさが、初期設定時の数値（第２所定値）よりも暗いと判断すれば、その直前に送信した調光指示を継続する。そのため、照明器具１の電源がＯＦＦ状態である間、照明器具１を必要以上に明るくする調光指示を出すことを防止することができる。したがって、照明器具１の電源がＯＦＦ状態からＯＮ状態に切り替わった場合でも、所望の明るさ（第１所定値）となるように照明器具１の光出力（調光率）を制御することができる。
【００５８】
以上、本発明に係る照明制御装置及び照明システムについて、実施の形態に基づいて説明したが、本発明は、これらの実施の形態に限定されるものではない。本発明の主旨を逸脱しない限り、当業者が思いつく各種変形を実施の形態に施したものや、実施の形態における一部の構成要素を組み合わせて構築される別の形態も、本発明の範囲内に含まれる。
【００５９】
なお、上記実施の形態において、明るさセンサ１１は照度センサを例に挙げたが、撮像機器であってもよい。
【００６０】
また、上記実施の形態では、照明器具の調光は明るさの制御を例示しているが、それに加えて、調色の制御であってもよい。
【符号の説明】
【００６１】
１  照明器具
１０  照明制御装置
１１  明るさセンサ
１２  制御部
１３  通信部
１００  照明システム
【図１】
2018166074.tif 000003
【図２】
2018166074.tif 000004
【図３】
2018166074.tif 000005
【図４】
2018166074.tif 000006
【図５】
2018166074.tif 000007
【図６】
2018166074.tif 000008
【図７】
2018166074.tif 000009
【図８】
2018166074.tif 000010
【図９】
2018166074.tif 000011